(57)【要約】【課題】交換時期に収納部に効率よく燃料を収納することができる燃料電池装置及び電子機器を提供する。【解決手段】液体燃料または液体燃料と水との混合液を内部に収納する２つの燃料容器１２０と、燃料容器１２０内の液体が供給され液体燃料から電気エネルギーを生成する燃料電池発電部１５４を有する本体部１５０とを備え、燃料容器１２０は液体の容量に応じて一方向に伸縮する形状からなり、当該伸縮方向の一端部に本体部１５０との接続部１２１が設けられ、本体部１５０には２つの燃料容器１２０をその伸縮方向に２つ配列して収納可能な収納部１６０が設けられ、収納部１６０には燃料容器１２０の伸縮方向の両端部２箇所に接続部１２１とのコネクタ１６１，１６２が設けられている。【選択図】図９
2009158378.tif 000002
【特許請求の範囲】
【請求項１】
液体燃料または液体燃料と水との混合液を内部に収納する２つの燃料容器と、
前記燃料容器内の液体が供給され前記液体燃料から電気エネルギーを生成する燃料電池発電部を有する本体部とを備え、
前記燃料容器は液体の容量に応じて少なくとも一方向に伸縮する形状からなり、当該伸縮方向の一端部に前記本体部との接続部が設けられ、
前記本体部には前記２つの燃料容器をその伸縮方向に２つ配列して収納可能な収納部が設けられ、
前記収納部には前記燃料容器の伸縮方向の両端部２箇所に前記接続部とのコネクタが設けられていることを特徴とする燃料電池装置。  
【請求項２】
前記燃料容器に、前記燃料容器の液体搭載可能容量及び、前記燃料容器から排出された液体の量を記憶する情報記憶手段をさらに備えることを特徴とする請求項１に記載の燃料電池装置。
【請求項３】
前記燃料電池発電部の生成水を貯留する生成水回収部と、
前記コネクタ、前記燃料電池発電部、及び前記生成水回収部へ通じる３つの流路のうち２つを連通させる三方向バルブとをさらに備え、
前記生成水回収部から前記燃料容器に生成水を排出することを特徴とする請求項１から２のいずれかに記載の燃料電池装置。
【請求項４】
前記生成水回収部から前記燃料容器に排出する生成水の量を検知する検知手段と、
少なくとも前記２つの燃料容器の前記情報記憶手段に記憶されている情報から、前記生成水回収部から前記燃料容器に排出する生成水の量を決定する生成水排出量決定手段とをさらに備えることを特徴する請求項３に記載の燃料電池装置。
【請求項５】
請求項１から４のいずれかに記載の燃料電池装置と、
前記燃料電池装置から供給される電気エネルギーにより駆動される電子機器本体とを備えることを特徴とする電子機器。
【発明の詳細な説明】
【技術分野】
【０００１】
本発明は、燃料電池装置及び電子機器に関する。
【背景技術】
【０００２】
燃料電池は燃料の電気化学反応により電力を取り出すものであり、燃料電池の研究・開発が広く行われている。燃料電池の電気化学反応に用いる燃料としては、メタノール等の原燃料を改質器で改質することで生成した水素ガスが挙げられる。また、メタノールをそのまま用いる燃料電池もある。
【０００３】
これらの燃料は、通常は燃料電池装置から着脱可能な容器に貯留することが考えられている。また、燃料電池装置の運転を継続しながら燃料容器の交換を可能とするために、複数の燃料容器を着脱可能とする燃料電池装置も提案されている（例えば、特許文献１参照）。
【特許文献１】特開２００３−３２３９１１号公報
【発明の開示】
【発明が解決しようとする課題】
【０００４】
しかし、従来の燃料電池装置では、燃料容器の大きさが一定であるため、１つの燃料容器を取り除かなければ新たな燃料容器を接続することができなかった。このため、例えば屋外設備等、定期的にしか燃料容器を交換することができない設備に燃料電池装置を用いた場合、内部の燃料を半分程度使用した状態であっても、次回交換するときまで運転を継続可能とするために、その燃料容器を新たな燃料容器に交換する必要があり、交換頻度が増大するという問題があった。
【０００５】
本発明の課題は、交換時期に収納部に効率よく燃料を収納することができる燃料電池装置及び電子機器を提供することである。
【課題を解決するための手段】
【０００６】
以上の課題を解決するため、請求項１に記載の発明は、燃料電池装置であって、液体燃料または液体燃料と水との混合液を内部に収納する２つの燃料容器と、前記燃料容器内の液体が供給され前記液体燃料から電気エネルギーを生成する燃料電池発電部を有する本体部とを備え、前記燃料容器は液体の容量に応じて少なくとも一方向に伸縮する形状からなり、当該伸縮方向の一端部に前記本体部との接続部が設けられ、前記本体部には前記２つの燃料容器をその伸縮方向に２つ配列して収納可能な収納部が設けられ、前記収納部には前記燃料容器の伸縮方向の両端部２箇所に前記接続部とのコネクタが設けられていることを特徴とする。
【０００７】
請求項２に記載の発明は、請求項１に記載の燃料電池装置であって、前記燃料容器に、前記燃料容器の液体搭載可能容量及び、前記燃料容器から排出された液体の量を記憶する情報記憶手段をさらに備えることを特徴とする。  
【０００８】
請求項３に記載の発明は、請求項１から２のいずれかに記載の燃料電池装置であって、前記燃料電池発電部の生成水を貯留する生成水回収部と、前記コネクタ、前記燃料電池発電部、及び前記生成水回収部へ通じる３つの流路のうち２つを連通させる三方向バルブとをさらに備え、前記生成水回収部から前記燃料容器に生成水を排出することを特徴とする。
【０００９】
請求項４に記載の発明は、請求項３に記載の燃料電池装置であって、前記生成水回収部から前記燃料容器に排出する生成水の量を検知する検知手段と、少なくとも前記２つの燃料容器の前記情報記憶手段に記憶されている情報から、前記生成水回収部から前記燃料容器に排出する生成水の量を決定する生成水排出量決定手段とをさらに備えることを特徴する。
【００１０】
請求項５に記載の発明は、電子機器であって、請求項１から４のいずれかに記載の燃料電池装置と、前記燃料電池装置から供給される電気エネルギーにより駆動される電子機器本体とを備えることを特徴とする。
【発明の効果】
【００１１】
本発明によれば、燃料容器が液体の容量に応じて一方向に伸縮する形状からなり、伸縮方向の一端部に前記本体部との接続部が設けられていること、及び、本体部に２つの燃料容器をその伸縮方向に２つ配列して収納可能な収納部が設けられ、収納部には燃料容器の伸縮方向の両端部２箇所に接続部とのコネクタが設けられているため、一方の燃料容器を交換するときに、他方の燃料容器の残量に応じて、その伸縮方向の長さを調節して新たな燃料容器を収納部に収納することができる。したがって、交換時期に収納部に効率よく燃料を収納することができる。
【発明を実施するための最良の形態】
【００１２】
以下、本発明の実施形態について詳細に説明する。
〔第１実施形態〕
図１は本発明の第１実施形態に係る電子機器１００の構成を示すブロック図である。電子機器１００は、電子機器本体１０１と、電子機器本体１０１を駆動する電気エネルギーを供給する燃料電池装置１１０と、等から概略構成される。電子機器本体１０１には、入力部１０２、表示部１０３、電子機器制御部１０４やその他の機構（後述する撮像素子１０５や記録媒体等）が設けられている。電子機器制御部１０４は後述する燃料電池制御部１５７との間で情報の送受信を行う。
【００１３】
次に、燃料電池装置１１０について説明する。この燃料電池装置１１０は、電子機器本体１０１に出力する電気エネルギーを生成するものであり、燃料容器１２０と、燃料容器１２０が着脱される本体部１５０とからなる。
【００１４】
燃料容器１２０には、液体の原燃料（例えば、メタノール、エタノール、ジメチルエーテル）または原燃料と水との混合液が貯留されている。燃料容器１２０には後述する第１燃料供給コネクタ１６１または第２燃料供給コネクタ１６２と接続される入出孔１２１（接続部）が設けられており、燃料容器１２０内の混合液は、第１燃料供給コネクタ１６１及び第２燃料供給コネクタ１６２から本体部１５０に排出される。
なお、液体の原燃料と水とを燃料容器１２０内で別々に貯留してもよい。
【００１５】
また、燃料容器１２０には、無線情報通信機能を備えた情報記憶部１２２が設けられている。情報記憶部１２２は、例えばＲＦＩＤ等のＩＣタグである。情報記憶部１２２は、入出孔１２１を第１燃料供給コネクタ１６１または第２燃料供給コネクタ１６２と接続した状態で本体部１５０に設けられた第１リーダライタ１６３または第２リーダライタ１６４と対向して配置され、第１リーダライタ１６３または第２リーダライタ１６４により情報記憶部１２２の情報が読み取られ、あるいは新たな情報が書き込まれる。
【００１６】
情報記憶部１２２に当初記憶されている情報としては、例えば燃料容器１２０内の液体の搭載可能容量や残量を示す情報である。また、書き込まれる情報としては、例えば燃料容器１２０内の当初の液体の容量から排出された液体の容量を減算した残量を示す情報である。
【００１７】
本体部１５０は、第１燃料ポンプ１５１、第２燃料ポンプ１５２、流量センサ１５３、燃料電池発電部１５４、電源切替部１５５、二次電池１５６及び燃料電池制御部１５７を備えるとともに、燃料容器１２０の収納部１６０を備える。
【００１８】
第１燃料ポンプ１５１及び第２燃料ポンプ１５２は液体ポンプであり、第１燃料供給コネクタ１６１または第２燃料供給コネクタ１６２を介して燃料容器１２０の入出孔１２１に接続されるとともに、燃料電池発電部１５４と接続されている。第１燃料ポンプ１５１及び第２燃料ポンプ１５２は燃料電池制御部１５７と電気的に接続されており、燃料電池制御部１５７の制御に従って、燃料容器１２０内の混合液を燃料電池発電部１５４に送液する。
【００１９】
流量センサ１５３は第１燃料ポンプ１５１または第２燃料ポンプ１５２と燃料電池発電部１５４との間の流路に設けられており、第１燃料ポンプ１５１または第２燃料ポンプ１５２から燃料電池発電部１５４に供給される液体の流量を計測するのに用いられる。流量センサ１５３は燃料電池制御部１５７と電気的に接続されており、燃料電池制御部１５７の制御に従って、流量データを燃料電池制御部１５７に出力する。
【００２０】
燃料電池発電部１５４は燃料電池セルを備え、第１燃料ポンプ１５１または第２燃料ポンプ１５２から供給される混合液と、図示しない空気ポンプから供給される空気中の酸素との電気化学反応により電子機器本体１０１に出力する電気エネルギーを生成する。なお、反応後の水を含む排ガスは外部へ放出する。
【００２１】
燃料電池発電部１５４は燃料電池制御部１５７及び電源切替部１５５と電気的に接続されており、燃料電池制御部１５７の制御に従って、電気エネルギーを生成し、電源切替部１５５に出力する。
【００２２】
電源切替部１５５は燃料電池発電部１５４、二次電池１５６、燃料電池制御部１５７と電気的に接続されており、燃料電池制御部１５７の制御に従って、燃料電池発電部１５４で生成された電気エネルギーを電子機器本体１０１に供給し、二次電池１５６に蓄電し、または二次電池１５６に蓄電された電気エネルギーを電子機器本体１０１に供給する。
【００２３】
収納部１６０には、第１燃料供給コネクタ１６１、第２燃料供給コネクタ１６２、第１リーダライタ１６３及び第２リーダライタ１６４が設けられている。第１燃料供給コネクタ１６１、第２燃料供給コネクタ１６２はそれぞれ第１燃料ポンプ１５１、第２燃料ポンプ１５２と接続されており、燃料容器１２０の入出孔１２１から混合液が汲み出される。
第１リーダライタ１６３及び第２リーダライタ１６４は燃料電池制御部１５７と電気的に接続されており、燃料電池制御部１５７の制御に従って、情報記憶部１２２に記憶された情報を読み出し、あるいは情報記憶部１２２に新たな情報を書き込む。
【００２４】
ここで、燃料電池制御部１５７による第１燃料ポンプ１５１、第２燃料ポンプ１５２の切替制御について説明する。まず、燃料電子制御部１５７は、第１リーダライタ１６３及び第２リーダライタ１６４を制御して情報記憶部１２２に記憶された残量情報を読み出す。そして、燃料電池制御部１５７は、以下の（１）〜（３）のいずれかの動作を行う。
【００２５】
（１）  どちらの情報記憶部１２２からも残量があるという情報が読み出されなかった場合、燃料電池制御部１５７は燃料電池発電部１５４による発電を停止する。
【００２６】
（２）  第１リーダライタ１６３または第２リーダライタ１６４の一方のみが、残量があるという残量情報を得た場合、燃料電池制御部１５７は、対応する第１燃料ポンプ１５１または第２燃料ポンプ１５２の一方を駆動し、残量がある燃料容器１２０から混合液を燃料電池発電部１５４に供給する。
【００２７】
（３）  第１リーダライタ１６３及び第２リーダライタ１６４の両方が、残量があるという残量情報を得た場合には、燃料電池制御部１５７は第１リーダライタ１６３で取得した残量情報と第２リーダライタ１６４で取得した残量情報とを比較する。
（３−１）  第１燃料供給コネクタ１６１に接続された燃料容器１２０（以下、「燃料容器１」という）の残量が第２燃料供給コネクタ１６２に接続された燃料容器１２０（以下、「燃料容器２」という）以下であれば、燃料電池制御部１５７は第１燃料ポンプ１５１を駆動し、第１燃料供給コネクタ１６１に接続された燃料容器１２０から混合液を燃料電池発電部１５４に供給する。
（３−２）  第１燃料供給コネクタ１６１に接続された燃料容器１２０（以下、「燃料容器１」という）の残量が第２燃料供給コネクタ１６２に接続された燃料容器１２０（以下、「燃料容器２」という）よりも多ければ、燃料電池制御部１５７は第２燃料ポンプ１５２を駆動し、第２燃料供給コネクタ１６２に接続された燃料容器１２０から混合液を燃料電池発電部１５４に供給する。
【００２８】
次に、電子機器１００の具体的な構造について説明する。図２は電子機器１００の具体的な構造を示す斜視図である。図２において、電子機器１００の下部に燃料電池装置１１０が設けられており、電子機器本体１０１はその上部に設けられている。この電子機器１００は、定点観測カメラであり、観測すべき対象や場所を一定時間毎に自動的に撮像する撮像素子１０５や、撮像した画像を記録する図示しない記録装置が電子機器本体１０１内に設けられている。また、電子機器本体１０１の前面には蓋１０６が設けられており、蓋１０６に覆われた内部に入力部１０２や表示部１０３が設けられている。
【００２９】
燃料電池装置１１０の前面には、蓋１１１で塞がれた収納部１６０が設けられている。収納部１６０は幅２Ｗ1、奥行Ｄ、高さＨの略直方体形状であり、その幅方向の一端部に第１燃料供給コネクタ１６１及び第１リーダライタ１６３が設けられ、他端部に第２燃料供給コネクタ１６２及び第２リーダライタ１６４が設けられている。
【００３０】
本実施形態においては、この収納部１６０には、以下に説明する２種類の燃料容器１２０（標準サイズ燃料容器１２０Ａ，ラージサイズ燃料容器１２０Ｂ）が収納される。
【００３１】
図３（ａ）は混合液が充填された状態の標準サイズ燃料容器１２０Ａを示す斜視図であり、図３（ｂ）は混合液が消費された状態の標準サイズ燃料容器１２０Ａを示す斜視図である。図３（ａ）に示すように、標準サイズ燃料容器１２０Ａは、混合液が充填された状態では、幅Ｗ1、奥行Ｄ、高さＨの直方体形状をしており、その幅方向の一端部に入出孔１２１及び情報記憶部１２２が設けられている。また、標準サイズ燃料容器１２０Ａの幅方向の中央部には、谷折部１２３Ａが形成されている。標準サイズ燃料容器１２０Ａ内の混合液が排出されると、徐々に谷折部１２３Ａが折れ曲がり、図３（ｂ）に示すように幅方向に縮む。
【００３２】
図４（ａ）は混合液が充填された状態のラージサイズ燃料容器１２０Ｂを示す斜視図であり、図４（ｂ）は混合液が消費された状態のラージサイズ燃料容器１２０Ｂを示す斜視図である。図４（ａ）に示すように、ラージサイズ燃料容器１２０Ｂは、混合液が充填された状態では、幅Ｗ2、奥行Ｄ、高さＨの直方体形状をしており、その幅方向の一端部に入出孔１２１及び情報記憶部１２２が設けられている。ここで、Ｗ1＜Ｗ2＜２Ｗ1である。
また、ラージサイズ燃料容器１２０Ｂの幅方向の中央部には、谷折部１２３Ｂが形成されている。ラージサイズ燃料容器１２０Ｂ内の混合液が排出されると、徐々に谷折部１２３Ｂが折れ曲がり、図４（ｂ）に示すように幅方向に縮む。
【００３３】
本実施形態に係る電子機器１００は、人間が定期、不定期に訪れて撮影した画像情報を取得する。その際、必要があれば、混合液がほとんどあるいは全くなくなった標準サイズ燃料容器１２０Ａまたはラージサイズ燃料容器１２０Ｂを収納部１６０から取り出し、標準サイズ燃料容器１２０Ａまたはラージサイズ燃料容器１２０Ｂに交換する。
【００３４】
次に、図５〜図９を用いて、収納部１６０に収納された標準サイズ燃料容器１２０Ａ、ラージサイズ燃料容器１２０Ｂの使用態様及び交換態様について説明する。
まず、初期には、図５に示すように、収納部１６０に２つの標準サイズ燃料容器１２０Ａが収納されている。
【００３５】
燃料電池制御部１５７は、第１リーダライタ１６３及び第２リーダライタ１６４を制御し、標準サイズ燃料容器１２０Ａの情報記憶部１２２に記憶された残量情報を読み出す。初期にはどちらの情報記憶部１２２にも同じ残量情報が記録されているので、燃料電池制御部１５７は第１燃料ポンプ１５１を駆動し、第１燃料供給コネクタ１６１に接続された標準サイズ燃料容器１２０Ａ（以下、「燃料容器Ｉ」という）から混合液を燃料電池発電部１５４に供給する。
【００３６】
図６に示すように、燃料容器Ｉの容量がほとんどなくなったときに交換する場合、燃料容器Ｉを取り外すと、燃料電池制御部１５７は第１燃料ポンプ１５１を停止し、第２燃料ポンプ１５２を駆動し、第２燃料供給コネクタ１６２に接続された燃料容器１２０（以下、「燃料容器II」という）から混合液を燃料電池発電部１５４に供給する。このとき、第１燃料供給コネクタ１６１側に幅W1の空間が生じる。
【００３７】
その後、図７に示すように、第１燃料供給コネクタ１６１に新たな標準サイズ燃料容器１２０Ａを接続しても、燃料電池制御部１５７は第２燃料ポンプ１５２の駆動を継続する。
【００３８】
一方、燃料容器Ｉの容量がほとんどなくなった後、燃料電池制御部１５７が第１燃料ポンプ１５１を停止し、第２燃料ポンプ１５２を駆動し、燃料容器IIから混合液を燃料電池発電部１５４に供給した場合において、図８に示すように、燃料容器IIの幅が２Ｗ1−Ｗ2以下になっていたときは、燃料容器Ｉを取り外したとき、幅がＷ2以上の空間が第１燃料供給コネクタ１６１側に生じる。このため、図９に示すように、第１燃料供給コネクタ１６１にラージサイズ燃料容器１２０Ｂ（以下、燃料容器IIIという）を取り付けることができる。
【００３９】
その後、燃料容器IIの容量がなくなり、燃料電池制御部１５７が第２燃料ポンプ１５２を停止し、第１燃料ポンプ１５１を駆動し、燃料容器IIIから混合液を燃料電池発電部１５４に供給した場合において、図１０に示すように、燃料容器IIIの幅がＷ1よりも小さくなっていたときは、燃料容器IIを取り外した後、第２燃料供給コネクタ１６２側に幅W1の空間が生じる。このため、図１１に示すように、第２燃料供給コネクタ１６２に標準サイズ燃料容器１２０Ａ（以下、燃料容器IVという）を取り付けることができる。
【００４０】
一方、燃料容器IIIの幅が２Ｗ1−Ｗ2以下になっていたときは、燃料容器IIを取り外した後、幅がＷ2以上の空間が第２燃料供給コネクタ１６２側に生じる。このため、図１２に示すように、第２燃料供給コネクタ１６２にラージサイズ燃料容器１２０Ｂ（以下、燃料容器Vという）を取り付けることができる。
その後の燃料容器IVまたは燃料容器Vの交換については、燃料容器IIと同様である。
【００４１】
以上示したように、本実施形態によれば、燃料容器１２０が混合液の容量に応じて一方向に伸縮する形状であり、収納部１６０には燃料容器１２０を当該伸縮方向に２つ配列して収納可能であり、その収納部の配列方向の両端部に燃料容器１２０と接続される第１燃料供給コネクタ１６１及び第２燃料供給コネクタ１６２が設けられているため、２つの燃料容器１２０の残量に応じて異なる大きさの新たな燃料容器１２０を選択して取り付けることができ、交換時期に収納部１６０に効率よく燃料を収納することができる。
【００４２】
〔第２実施形態〕
次に、本発明の第２実施形態について説明する。
図１３は本発明の第２実施形態に係る電子機器２００の構成を示すブロック図である。本実施形態においては、燃料電池装置２１０の本体部２５０の構造が第１実施形態と異なっている。なお、第１実施形態と同様の構成については、下２桁に同符号を付して説明を割愛する。
【００４３】
本実施形態においては、燃料ポンプの代わりに、双方向ポンプ２５１，２５２が設けられている。また、双方向ポンプ２５１と流量センサ２５３との間には切換バルブ２７１、双方向ポンプ２５２と流量センサ２５３との間には、切替バルブ２７２が設けられている。また、燃料電池発電部２５４と切替バルブ２７１、２７２とに接続された生成水回収部２５９が、流量センサ２８０を介して、設けられている。
【００４４】
第１双方向ポンプ２５１及び第２双方向ポンプ２５２は送液方向を切替可能な液体ポンプであり、それぞれ第１燃料供給コネクタ２６１または第２燃料供給コネクタ２６２を介して燃料容器２２０の入出孔２２１に接続されるとともに、それぞれ切替バルブ２７１、２７２と接続されている。第１双方向ポンプ２５１及び第２双方向ポンプ２５２は燃料電池制御部２５７と電気的に接続されており、燃料電池制御部２５７の制御に従って、燃料容器２２０内の混合液を燃料電池発電部２５４に送液し、あるいは、後述する回収水を切替バルブ２７１、２７２側から燃料容器２２０に送液する。
【００４５】
切替バルブ２７１は三方向バルブであり、第１双方向ポンプ２５１へ通じる流路、流量センサ２５３へ通じる流路、生成水回収部２５９へ通じる流路と接続されている。切替バルブ２７２も三方向バルブであり、第２双方向ポンプ２５２へ通じる流路、流量センサ２５３へ通じる流路、流量センサ２８０を介して生成水回収部２５９へ通じる流路と接続されている。切替バルブ２７１、２７２はそれぞれ燃料電池制御部２５７と電気的に接続されており、燃料電池制御部２５７の制御に従って、切替バルブ２７１は、第１双方向ポンプ２５１へ通じる流路、流量センサ２５３へ通じる流路、流量センサ２８０を介して生成水回収部２５９へ通じる流路のうち任意の２つを連通させ、切替バルブ２７２は、第２双方向ポンプ２５２へ通じる流路、流量センサ２５３へ通じる流路、流量センサ２８０を介して生成水回収部２５９へ通じる流路のうち任意の２つを連通させる。
【００４６】
生成水回収部２５９は流量センサ２８０を介して燃料電池発電部２５４及び切替バルブ２７１、２７２と接続されている。生成水回収部２５９は燃料電池発電部２５４から供給される排ガス中の液体の水を回収して貯留するとともに、排ガス中の気体成分を外部へ放出する。流量センサ２８０は、燃料電池制御部２５７と電気的に接続されており、生成水回収部２５９から切替バルブ２７１、２７２へ回収する生成水の流量を検知するものである。
【００４７】
次に、燃料電池装置２１０の動作について説明する。
まず、通常運転時には、燃料電池制御部２５７は、切替バルブ２７１もしくは切替バルブ２７２の何れかを制御する。切替バルブ２７１を制御する場合、第１双方向ポンプ２５１へ通じる流路と流量センサ２５３へ通じる流路とを連通させる。次に、燃料電池制御部２５７は、第１双方向ポンプ２５１を第１実施形態の第１燃料ポンプ１５１と同様に駆動して、燃料容器２２０内の混合液を燃料電池発電部２５４に供給する。切替バルブ２７２を制御する場合、第２双方向ポンプ２５２へ通じる流路と流量センサ２５３へ通じる流路とを連通させる。次に、燃料電池制御部２５７は、第２双方向ポンプ２５２を第１実施形態の第２燃料ポンプ１５２と同様に駆動して、燃料容器２２０内の混合液を燃料電池発電部２５４に供給する。そして、燃料電池制御部２５７は燃料電池発電部２５４を制御して発電を継続する。この間に生じる生成水は生成水回収部２５９に貯留される。
【００４８】
本実施形態においても、第１実施形態と同様に、交換時期に燃料容器２２０が交換される。この際の燃料電池装置２１０の動作について説明する。
燃料容器２２０を交換するときは、交換を行う者が、第１燃料供給コネクタ２６１に接続された燃料容器２２０または第２燃料供給コネクタ２６２に接続された燃料容器２２０のいずれを取り外すかを選択し、電子機器２００の入力部２０２よりいずれを取り外すかを入力する。入力された情報は電子機器制御部２０４より燃料電池制御部２５７に伝達される。以下、第１燃料供給コネクタ２６１に接続された燃料容器２２０を取り外す場合で説明する。この時、燃料電池装置２１０は第２燃料供給コネクタ２６２に接続された燃料容器２２０に収容される燃料で通常動作している。
【００４９】
まず、燃料電池制御部２５７は、燃料容器２２０それぞれの情報記憶部２２２から液体の搭載可能容量や残量を示す情報を読み出す。次に、燃料電池制御部２５７は、情報記憶部２２２から読み出した情報を元に、第１燃料供給コネクタ２６１及び第２燃料供給コネクタ２６２に接続された燃料容器２２０が収納部２６０に収容されている状態で、排出可能な回収生成水の総量を算出する。
【００５０】
次に、燃料電池制御部２５７は、切替バルブ２７１を制御して第１双方向ポンプ２５１へ通じる流路と流量センサ２８０を介して生成水回収部２５９へ通じる流路とを連通させる。その後、燃料電池制御部２５７は、第１双方向ポンプ２５１を駆動して、取り外す燃料容器２２０に生成水回収部２５９から生成水を排出させる。
【００５１】
その後、燃料電池制御部２５７は、流量センサ２８０で検出された生成水の流量の総量が排出可能な回収生成水の総量を超える前に、第１双方向ポンプ２５１の駆動を停止させる。
【００５２】
生成水の排出が終了したら、この状態で、内部に生成水が回収された燃料容器２２０を取り外し、第１実施形態と同様に新たな燃料容器２２０を取り付けることで、燃料容器２２０の交換が終了する。
【００５３】
このように、本実施形態によれば、第１実施形態と同様の効果が得られることに加えて、交換時に生成水の回収を行うことができる。
【００５４】
なお、以上の実施形態においては、電子機器として定点観測カメラを例に挙げて説明したが、本発明はこれに限られることはなく、交換時期で管理する任意の電子機器に適用することができる。また、以上の実施形態においては、燃料電池装置を例に挙げて説明したが、例えば内燃機関等、燃料を消費する任意の装置に本発明を適用することができる。
【図面の簡単な説明】
【００５５】
【図１】本発明の第１実施形態に係る電子機器１００の構成を示すブロック図である。
【図２】電子機器１００の具体的な構造を示す斜視図である。
【図３】（ａ）は混合液が充填された状態の標準サイズ燃料容器１２０Ａを示す斜視図であり、（ｂ）は混合液が消費された状態の標準サイズ燃料容器１２０Ａを示す斜視図である。
【図４】（ａ）は混合液が充填された状態のラージサイズ燃料容器１２０Ｂを示す斜視図であり、（ｂ）は混合液が消費された状態のラージサイズ燃料容器１２０Ｂを示す斜視図である。
【図５】２つの標準サイズ燃料容器１２０Ａが収納された収納部１６０を示す斜視図である。
【図６】燃料容器Ｉの容量がほとんどなくなった状態の収納部１６０を示す斜視図である。
【図７】第１燃料供給コネクタ１６１に新たな標準サイズ燃料容器１２０Ａを接続した状態の収納部１６０を示す斜視図である。
【図８】燃料容器IIの幅が２Ｗ1−Ｗ2以下になった状態の収納部１６０を示す斜視図である。
【図９】第１燃料供給コネクタ１６１にラージサイズ燃料容器１２０Ｂを取り付けた状態の収納部１６０を示す斜視図である。
【図１０】燃料容器IIIの幅がＷ1よりも小さくなった状態の収納部１６０を示す斜視図である。
【図１１】第２燃料供給コネクタ１６２に標準サイズ燃料容器１２０Ａを取り付けた状態の収納部１６０を示す斜視図である。
【図１２】第２燃料供給コネクタ１６２にラージサイズ燃料容器１２０Ｂを取り付けた状態の収納部１６０を示す斜視図である。
【図１３】本発明の第２実施形態に係る電子機器２００の構成を示すブロック図である。
【符号の説明】
【００５６】
１００，２００  電子機器
１０１，２０１  電子機器本体
１１０，２１０  燃料電池装置
１２０，２２０  燃料容器
１２１，２２１  接続部
１５０，２５０  本体部
１５４，２５４  燃料電池発電部
１６１，２６１  第１燃料供給コネクタ
１６２，２６２  第２燃料供給コネクタ
２５８  切替バルブ（三方向弁）
２５９  生成水回収部
【図１】
2009158378.tif 000003
【図２】
2009158378.tif 000004
【図３】
2009158378.tif 000005
【図４】
2009158378.tif 000006
【図５】
2009158378.tif 000007
【図６】
2009158378.tif 000008
【図７】
2009158378.tif 000009
【図８】
2009158378.tif 000010
【図９】
2009158378.tif 000011
【図１０】
2009158378.tif 000012
【図１１】
2009158378.tif 000013
【図１２】
2009158378.tif 000014
【図１３】
2009158378.tif 000015